(57)【要約】  【課題】  メンテナンスを容易にするとともに小型化を図ることのできる熱交換形換気扇を提供する。  【解決手段】  壁面Ｗの室内側と室外側とを貫通する貫通孔Ｈに挿入される筒状部２と、筒状部２内を仕切る仕切板１４を介して筒状部２内に隣接して設けられる吸気路６及び排気路７と、室外側から室内側に流通する気流を吸気路６に発生する第１シロッコファン１１と室内側から室外側に流通する気流を排気路７に発生する第２シロッコファン１２とを有する送風部１０と、送風部１０よりも室内側に配されて室内から排気路７に流通する空気と吸気路６から室内に流通する空気の熱交換を行う熱交換器２１を有する熱交換部２０と、筒状部２の室内側を覆って壁面Ｗに配されるカバー４とを備え、熱交換器２１を保持する保持板２２、２３の溝部２２ａと突設部３７、３９の嵌合により熱交換部２０を案内して筒状部２に対して室内側から出し入れできるとともに、案内溝４０と仕切板１４の嵌合により送風部１０を案内して筒状部２に対して室内側から出し入れできるようにした。【選択図】      図２
2005282927.tif 000002
【特許請求の範囲】
【請求項１】
壁面の室内側と室外側とを貫通する貫通孔に挿入される筒状部と、前記筒状部内を仕切る仕切板を介して前記筒状部内に隣接して設けられる吸気路及び排気路と、前記筒状部の室内側から出し入れできるとともに室外側から室内側に流通する気流を前記吸気路に発生して室内側から室外側に流通する気流を前記排気路に発生する送風部と、前記送風部よりも室内側に配されて前記筒状部の室内側から出し入れできるとともに室内から前記排気路に流通する空気と前記吸気路から室内に流通する空気の熱交換を行う熱交換部と、前記筒状部の室内側を覆って壁面に配されるカバーとを備えたことを特徴とする熱交換形換気扇。
【請求項２】
前記送風部は、前記吸気路に配される第１シロッコファンと、前記排気路に配される第２シロッコファンとを有することを特徴とする請求項１に記載の熱交換形換気扇。
【請求項３】
前記仕切板の両面にそれぞれ第１、第２シロッコファンを取り付け、前記仕切板とともに前記送風部を移動可能にしたことを特徴とする請求項２に記載の熱交換形換気扇。
【請求項４】
第１、第２シロッコファンの吸込側を前記筒状部の外周部に向けて配置したことを特徴とする請求項３に記載の熱交換形換気扇。
【請求項５】
第１、第２シロッコファンの間に前記熱交換部の一部を配置したことを特徴とする請求項３または請求項４に記載の熱交換形換気扇。
【請求項６】
第１、第２シロッコファンは回転軸が前記筒状部の軸方向に対して傾斜し、第１シロッコファンの吸込側が室外に向かって配されるとともに、第２シロッコファンの吸込側が室内に向かって配されることを特徴とする請求項３〜請求項５のいずれかに記載の熱交換形換気扇。
【請求項７】
第１、第２シロッコファンを駆動する第１、第２駆動モータを設けたことを特徴とする請求項２〜請求項６のいずれかに記載の熱交換形換気扇。
【請求項８】
前記仕切板に嵌合して前記仕切板を案内する案内溝を前記筒状部の内壁に設けたことを特徴とする請求項３〜請求項６のいずれかに記載の熱交換形換気扇。
【請求項９】
前記筒状部の内壁に突設した突設部により前記案内溝の側壁面を形成するとともに、前記突設部の位置決めにより前記熱交換部を案内する溝部を前記熱交換部に設けたことを特徴とする請求項８に記載の熱交換形換気扇。
【請求項１０】
前記送風部の電気配線を収納する収納溝を前記案内溝に隣接して前記筒状部の内壁に設けたことを特徴とする請求項８または請求項９に記載の熱交換形換気扇。
【請求項１１】
前記熱交換部は、前記吸気路に臨む室外側流入口と室内に臨む室内側流出口とを有する第１通風体と、前記排気路に臨む室外側流出口と室内に臨む室内側流入口とを有する第２通風体とを積層して成り、前記室内側流出口及び前記室内側流入口は前記筒状部から室内側に突出して配置されるとともに、前記筒状部の軸方向に対して傾斜して相反する外方向に向かって開口することを特徴とする請求項１〜請求項１０のいずれかに記載の熱交換形換気扇。
【請求項１２】
前記熱交換部に室内側から把持する取っ手を設けたことを特徴とする請求項１〜請求項１１のいずれかに記載の熱交換形換気扇。
【請求項１３】
前記熱交換部から室内に吐出される空気中にイオンを発生するイオン発生装置を設けたことを特徴とする請求項１〜請求項１２のいずれかに記載の熱交換形換気扇。
【請求項１４】
前記筒状部の室内側端部に鍔状に形成されるともに前記カバーと嵌合する台座を設け、前記台座に前記イオン発生装置を取り付けたことを特徴とする請求項１３に記載の熱交換形換気扇。
【請求項１５】
前記イオン発生装置はマイナスイオンを発生するモード或いはマイナスイオン及びプラスイオンを発生するモードを有することを特徴とする請求項１３または請求項１４に記載の熱交換形換気扇。
【発明の詳細な説明】
【技術分野】
【０００１】
本発明は、室内の空気と室外の空気との間で熱交換して室内の空気を換気する熱交換形換気扇に関する。
【背景技術】
【０００２】
従来の熱交換形換気扇は特許文献１に開示されている。この熱交換形換気扇は室内の壁面に取り付けられる本体ケースを有し、壁に設けられた貫通孔に挿入される円筒部が本体ケースから後方に延びて設けられる。本体ケースには隣接する通路が直交した直交形の熱交換器が配置される。熱交換器の側方には吸気用ファン及び排気用ファンを有する送風部が配置される。本体ケース及び円筒部には、吸気用ファンによって空気が流通する吸気路と排気用ファンによって空気が流通する排気路とが隔壁を介して並設される。熱交換器の一方通路は吸気路に連通し、他方通路は排気路に連通している。
【０００３】
熱交換形換気扇の運転を開始すると吸気用ファン及び排気用ファンが駆動される。吸気用ファンの駆動により室外の空気が吸気路に取り込まれて熱交換器の一方通路を流通する。排気用ファンの駆動により室内の空気が熱交換器の他方通路を流通する。熱交換器によって室内から取り込まれた空気と室外から取り込まれた空気が熱交換され、室内の空気の熱を受け取った室外の空気が室内に放出される。また、室内から取り込まれて熱交換した後の空気は排気路を流通して室外に排気される。これにより、室内から排出される熱量を抑制して室内の換気を行うことができる。
【０００４】
上記特許文献１に開示された熱交換形換気扇は、室内に配される本体ケース内に熱交換器及び送風部が設けられるため本体ケースが大型化して室内の美観を損ねる。また、吸気用ファン及び排気用ファンが室内に配されるため室内の騒音が大きくなる。このため、特許文献２には熱交換器及び送風部を壁内に配置した熱交換形換気扇が開示されている。
【０００５】
この熱交換形換気扇は、壁に設けた貫通孔に挿通される円筒部には室外側に送風部が配置され、送風部の前方（室内側）に熱交換器が配置される。室内には吸排気用の開口を有して円筒部を覆う奥行の狭いカバーが設けられる。円筒部内には内筒が設けられ、内筒によって内側の吸気路と外側の排気路とが隔てられる。送風部は駆動モータを有し、駆動モータの回転軸には内周側に配される吸気用ファンと外周側に配される排気用ファンが取り付けられる。吸気用ファンと排気用ファンとの間には内筒の後端に近設して内筒の後端と同径の仕切り筒が設けられる。
【０００６】
これにより、吸気用ファン、排気用ファン及び仕切り筒が一体回転し、仕切り筒及び内筒の内側に室外から室内に向かう気流を発生するとともに、仕切り筒及び内筒の外側に室内から室外に向かう気流を発生する。そして、熱交換器でそれぞれの空気が熱交換して室内の換気が行われる。
【０００７】
従って、室内には奥行の狭いカバーが設けられるだけのため室内の美観が向上されるとともに、送風部を室内から離れて配置して騒音を低減できるようになっている。
【特許文献１】実公平６−３３２３号公報（第２頁−第３頁、第１図）
【特許文献２】特開平７−１５８９２２号公報（第２頁−第６頁、第１図）
【発明の開示】
【発明が解決しようとする課題】
【０００８】
しかしながら、上記特許文献２に開示された熱交換形換気扇によると、円筒部に固定される内筒の後方には吸気用ファン、排気用ファン及び仕切り筒が駆動モータと一体に設けられる。このため、駆動モータ、吸気用ファン及び排気用ファンの清掃や修理等のメンテナンスができない問題があった。また、吸気路と排気路とが筒状部の内周側と外周側に設けられるため筒状部の外径が大きくなり、熱交換形換気扇が大型になる問題もあった。
【０００９】
本発明は、メンテナンスを容易にするとともに小型化を図ることのできる熱交換形換気扇を提供することを目的とする。
【課題を解決するための手段】
【００１０】
上記目的を達成するために本発明は、壁面の室内側と室外側とを貫通する貫通孔に挿入される筒状部と、前記筒状部内を仕切る仕切板を介して前記筒状部内に隣接して設けられる吸気路及び排気路と、前記筒状部の室内側から出し入れできるとともに室外側から室内側に流通する気流を前記吸気路に発生して室内側から室外側に流通する気流を前記排気路に発生する送風部と、前記送風部よりも室内側に配されて前記筒状部の室内側から出し入れできるとともに室内から前記排気路に流通する空気と前記吸気路から室内に流通する空気の熱交換を行う熱交換部と、前記筒状部の室内側を覆って壁面に配されるカバーとを備えたことを特徴としている。
【００１１】
この構成によると、壁に設けられた貫通孔に筒状部が挿入され、室内側がカバーで覆われる。筒状部に配された送風部を駆動すると仕切板で隔てられた吸気路及び排気路に気流が発生する。これにより、室内の空気が熱交換部に取り込まれて排気路を介して室外に排気され、室外の空気は吸気路を介して熱交換部に取り込まれて室内に送出される。熱交換部ではそれぞれの空気が熱交換して室内から排気される空気の熱が室内に送出される空気に取り込まれる。その結果、室内から排出される熱量を抑制して室内の換気を行うことができる。また、カバーを取り外すと熱交換部を室内側から取り出して清掃等のメンテナンスを行うことができる。熱交換器を取り出すと送風部を室内側から取り出して清掃や修理等のメンテナンスを行うことができる。
【００１２】
また本発明は、上記構成の熱交換形換気扇において、前記送風部は、前記吸気路に配される第１シロッコファンと、前記排気路に配される第２シロッコファンとを有することを特徴としている。この構成によると、第１シロッコファンを駆動すると室外の空気が回転軸方向から吸い込まれて周方向に送出され、吸気路に気流が発生する。第２シロッコファンを駆動すると室内の空気が回転軸方向から吸い込まれて周方向に送出され、排気路に気流が発生する。
【００１３】
また本発明は、上記構成の熱交換形換気扇において、前記仕切板の両面にそれぞれ第１、第２シロッコファンを取り付け、前記仕切板とともに前記送風部を移動可能にしたことを特徴としている。この構成によると、第１、第２シロッコファン仕切板をスライドして送風部が筒状部に対して出し入れされる。
【００１４】
また本発明は、上記構成の熱交換形換気扇において、第１、第２シロッコファンの吸込側を前記筒状部の外周部に向けて配置したことを特徴としている。この構成によると、第１、第２シロッコファンには筒状部の外周部を流通する空気が回転軸の方向から吸い込まれる。
【００１５】
また本発明は、上記構成の熱交換形換気扇において、第１、第２シロッコファンの間に前記熱交換部の一部を配置したことを特徴としている。この構成によると、送風部と熱交換部とがオーバーラップして配置される。
【００１６】
また本発明は、上記構成の熱交換形換気扇において、第１、第２シロッコファンは回転軸が前記筒状部の軸方向に対して傾斜し、第１シロッコファンの吸込側が室外に向かって配されるとともに、第２シロッコファンの吸込側が室内に向かって配されることを特徴としている。この構成によると、第１シロッコファンの軸上に開口した吸込側が室外に向かって配され、室外の空気が第１シロッコファンに回転軸方向から吸引される。また、第２シロッコファンの軸上に開口した吸込側が室内に向かって配され、室内の空気が第２シロッコファンに回転軸方向から吸引される。
【００１７】
また本発明は、上記構成の熱交換形換気扇において、第１、第２シロッコファンを駆動する第１、第２駆動モータを設けたことを特徴としている。この構成によると、吸気量に対して異なる排気量にできるとともに第１、第２シロッコファンの配置を自由に可変できる。
【００１８】
また本発明は、上記構成の熱交換形換気扇において、前記仕切板に嵌合して前記仕切板を案内する案内溝を前記筒状部の内壁に設けたことを特徴としている。この構成によると、案内溝の案内によって仕切板がスライド移動する。
【００１９】
また本発明は、上記構成の熱交換形換気扇において、前記筒状部の内壁に突設した突設部により前記案内溝の側壁面を形成するとともに、前記突設部の位置決めにより前記熱交換部を案内する溝部を前記熱交換部に設けたことを特徴としている。この構成によると、突設部の案内によって熱交換部がスライド移動する。
【００２０】
また本発明は、上記構成の熱交換形換気扇において、前記送風部の電気配線を収納する収納溝を前記筒状部の内壁に設けたことを特徴としている。
【００２１】
また本発明は、上記構成の熱交換形換気扇において、前記熱交換部は、前記吸気路に臨む室外側流入口と室内に臨む室内側流出口とを有する第１通風体と、前記排気路に臨む室外側流出口と室内に臨む室内側流入口とを有する第２通風体とを積層して成り、前記室内側流出口及び前記室内側流入口は前記筒状部から室内側に突出して配置されるとともに、前記筒状部の軸方向に対して傾斜して相反する外方向に向かって開口することを特徴としている。
【００２２】
この構成によると、室外の空気は吸気路を流通して第１通風体の室外側流入口から熱交換部に流入し、室内側流出口から流出して室内に送出される。室内の空気は第２通風体の室内側流入口から熱交換部に流入して室外側流出口から流出し、排気路を流通して室外に排気される。室内側流出口及び室内側流入口は筒状部よりも断面積の広いカバー内に配置され、例えば右側の室内側流出口が右方に向けて開口し、左側の室内側流入口が左方に向けて開口する。
【００２３】
また本発明は、上記構成の熱交換形換気扇において、前記熱交換部に室内側から把持する取っ手を設けたことを特徴としている。この構成によると、カバーを取り外した状態から取っ手を把持して熱交換部が室内側に引き出される。
【００２４】
また本発明は、上記構成の熱交換形換気扇において、前記熱交換部から室内に吐出される空気中にイオンを発生するイオン発生装置を設けたことを特徴としている。この構成によると、イオン発生装置により発生したイオンが空気とともに室内に送出される。
【００２５】
また本発明は、上記構成の熱交換形換気扇において、前記筒状部の室内側端部に鍔状に形成されるともに前記カバーと嵌合する台座を設け、前記台座に前記イオン発生装置を取り付けたことを特徴としている。この構成によると、台座が壁面に沿って設置され、台座に設けたイオン発生装置により発生したイオンが熱交換部から流出した空気に含まれる。
【発明の効果】
【００２６】
本発明によると、室内側から熱交換部及び送風部を取り出すことができるので容易にメンテナンスを行うことができる。
【００２７】
また本発明によると、送風部が第１、第２シロッコファンを有するので、筒状部の軸に対して略直交する方向に厚みの薄い第１、第２シロッコファンを並設することができる。従って、筒状部の径方向を小型化して熱交換形換気扇の小型化を図ることができる。
【００２８】
また本発明によると、仕切板の両面にそれぞれ第１、第２シロッコファンを取り付け、仕切板とともに送風部を移動可能にしたので、筒状部から送風部を容易に出し入れすることができる。
【００２９】
また本発明によると、第１、第２シロッコファンの吸込側を筒状部の外周部に向けて配置したので、差し渡し距離が狭く送風部の構成部材を配置できない筒状部の外周部のスペースに空気を流通させることができる。従って、空間利用効率が向上して筒状部の小型化を図ることができる。
【００３０】
また本発明によると、第１、第２シロッコファンの間に熱交換部の一部を配置したので、筒状部の軸方向を小型化して熱交換形換気扇のより小型化を図ることができる。
【００３１】
また本発明によると、第１、第２シロッコファンの回転軸を傾斜して、第１シロッコファンの吸込側が室外に向かって配されるとともに、第２シロッコファンの吸込側が室内に向かって配されるので、圧力損失を低減して送風効率を向上することができる。
【００３２】
また本発明によると、第１、第２シロッコファンを駆動する第１、第２駆動モータを設けたので、吸排気の多様な制御を行うことができる。また、第１、第２シロッコファンを離して配置して熱交換部とのオーバーラップ量を大きくし、筒状部のより小型化を図ることができる。更に、第１、第２シロッコファンの回転軸が筒状部の軸方向に対して傾斜する場合は、第１、第２シロッコファンを筒状部の軸方向に広げることなく配置することができる。
【００３３】
また本発明によると、仕切板を案内する案内溝を筒状部の内壁に設けたので、送風部を筒状部に対して容易に出し入れすることができる。
【００３４】
また本発明によると、案内溝の側壁面を形成する突設部の位置決めにより案内される溝を熱交換部に設けたので、熱交換部を筒状部に対して容易に出し入れすることができる。
【００３５】
また本発明によると、電気配線を収納する収納溝を筒状部の内壁に設けたので、筒状部から熱交換部を出し入れする際に熱交換部が電気配線と接触することによる電気配線の破損を防止することができる。
【００３６】
また本発明によると、室内側流出口及び室内側流入口が筒状部から室内側に突出して配置されるので、室内側流出口及び室内側流入口を流通する気流が筒状部の壁面に遮られず、送風効率を向上することができる。また、室内側流出口及び室内側流入口が筒状部の軸方向に対して傾斜して相反する外方向に向かって開口するので、室内側流出口から流出する気流と室内側流入口に流入する気流とを離すことができる。従って、ショートサーキットを防止して送風効率をより向上することができる。
【００３７】
また本発明によると、熱交換部に室内側から把持する取っ手を設けたので、容易に熱交換部を筒状部から取り出すことができる。
【００３８】
また本発明によると、熱交換部から室内に吐出される空気中にイオンを発生するイオン発生装置を設けたので、マイナスイオンによるリラクゼーション効果や、マイナスイオンとプラスイオンによる殺菌効果を得ることができる。
【００３９】
また本発明によると、出し入れされる熱交換部や送風部から独立して固定される台座にイオン発生装置を取り付けたので、移動する際の衝突等によるイオン発生装置の破損を防止することができる。
【発明を実施するための最良の形態】
【００４０】
以下に本発明の実施形態を図面を参照して説明する。図１、図２は第１実施形態の熱交換形換気扇を示す側面断面図及び上面断面図である。熱交換形換気扇１は壁Ｗの室内側と室外側を貫通する貫通孔Ｈに挿入される断面円形の筒状部２を有している。筒状部２は壁Ｗの厚みに応じて後部を切断して長さが調整されるようになっている。筒状部２の室内側の端面には壁Ｗに沿った鍔状の台座３が一体に設けられる。台座３に嵌合するカバー４により筒状部２が室内側から視認できないように覆われている。筒状部２の室外側の端部は筒状部２に外嵌される室外カバー５により覆われている。
【００４１】
筒状部２の後部には筒状部２内を左右に二分する仕切板１４が配される。室外カバー５には仕切板１４と同じ面内に配される仕切り部５ｃが突設される。これにより、筒状部２内に吸気路６及び排気路７が左右に隣接して設けられる。仕切板１４には駆動モータ１３が貫通して取り付けられる。駆動モータ１３には駆動モータ１３を挟んで反対側に同じ大きさの第１、第２シロッコファン１１、１２が同軸に連結される。これにより、第１シロッコファン１１が吸気路６に配され、第２シロッコファン１２が排気路７に配される。仕切板１４と一体となった第１、第２シロッコファン１１、１２及び駆動モータ１３により吸気路６及び排気路７に気流を発生する送風部１０が構成されている。
【００４２】
第１、第２シロッコファン１１、１２は仕切板１４に沿って配置され、筒状部２の軸方向に対して直交する方向が厚み方向になる。このため、図１０の背面図に示すように、筒状部２の中心に近い位置に第１、第２シロッコファン１１、１２が並設される。これにより、必要な風量に応じた第１、第２シロッコファン１１、１２の径に筒状部２の径を近づけることができる。従って、筒状部２の径方向を小型化して熱交換形換気扇１の小型化を図ることができる。
【００４３】
また、第１、第２シロッコファン１１、１２は筒状部２の外周部に向けて吸込口が開口し、周上のそれぞれ室内側、室外側に向けて排気口が開口する。駆動モータ１３の駆動により吸気路６には矢印Ａに示すように室外から室内に向かう方向に気流が発生し、排気路７には矢印Ｂに示すように室内から室外に向かう方向に気流が発生する。
【００４４】
この時、図１０に示すように、筒状部２の第１、第２シロッコファン１１、１２よりも外周部は上下方向の差し渡し距離が狭く送風部１０の構成部材を配置できないスペースＳが生じる。このスペースＳに空気を流通させることができるため、空間利用効率が向上して筒状部２の小型化を図ることができる。
【００４５】
また、仕切板１４には吸気路６の前方及び排気路７の後方をそれぞれ遮蔽する遮蔽部１４ａ、１４ｂが設けられている。遮蔽部１４ａは第１シロッコファン１１から前方に送出される空気が第１シロッコファン１１に戻って吸引されることによる送風効率低下を防止する。同様に、遮蔽部１４ｂは第２シロッコファン１２から後方に送出される空気が第２シロッコファン１２に戻って吸引されることによる送風効率低下を防止する。
【００４６】
送風部１０の前方には熱交換器２１を有した熱交換部２０が設けられる。熱交換器２１は円形の保持部２２、２３により前後を保持され、保持部２２、２３が筒状部２に嵌合して熱交換部２０が支持されている。熱交換器２１の後端は第１、第２シロッコファン１１、１２の間に配置されている。これにより、筒状部２の前後方向の長さを短くして熱交換形換気扇１の小型化を図ることができる。
【００４７】
図３、図４は熱交換器２１を構成する第１、第２通風体３１、３２を示す平面図である。第１、第２通風体３１、３２は筒状部２の軸方向に長い平面視六角形に形成されている。第１通風体３１は蛇行したリブ３４を並設してＳ字状に湾曲した空気通路３５が形成されている。第２通風体３２は蛇行したリブ３４を並設して空気通路３５と対称なＳ字状に湾曲した空気通路３６が形成されている。空気通路３５、３６をＵ字状に形成してもよい。
【００４８】
第１通風体３１の空気通路３５の両端には前方右方に開口する室内側流出口２１ａと後方左方に開口する室外側流入口２１ｃが形成される。室外側流入口２１ｃには吸気路６を流通して第１シロッコファン１１から送出された空気が流入し、室外側流出口２１ｃから室内に向けて流出する。
【００４９】
第２通風体３２の空気通路３６の両端には前方左方に開口する室内側流入口２１ｂと後方右方に開口する室外側流出口２１ｄが形成される。室内側流入口２１ｂには室内の空気が流入し、室外側流出口２１ｄから流出した空気が排気路７を流通する。尚、室内側流入口２１ｂ及び室外側流入口２１ｃには塵埃を捕集するフィルター（不図示）が設けられている。
【００５０】
図５は図３のＤ矢視図である。第１通風体３１の底面は紙３３を貼着して塞がれている第２通風体３２も同様になっている。そして、第１、第２通風体３１、３２が積層され、空気通路３５、３６を流通する空気の間で熱交換する熱交換器２１が形成される。また、第１、第２通風体３１、３２の境界が紙３３から成るため、空気通路３５、３６を流通する空気の間で熱交換と同時に湿度交換されるようになっている。これにより、全熱交換器が構成されている。
【００５１】
送風部１０及び熱交換部２０は筒状部２に対して室内側から出し入れできるようになっている。図６は送風部１０を筒状部２に挿入した状態を正面から見た要部詳細図である。筒状部２の内壁の上部には軸方向に延びる突設部３７、３８、３９が突設されている。突設部３７、３８、３９は所定間隔で並設され、突設部３７と突設部３８の間に案内溝４０を形成するとともに突設部３８と突設部３９との間に収納溝４１が形成されている。
【００５２】
案内溝４０は送風部１０の仕切板１４と嵌合する。図示しないが、筒状部２の下部にも同様に仕切板１４と嵌合する案内溝が形成されている。これにより、仕切板１４が案内溝４０に案内されて送風部１０が前後にスライド移動可能になっている。従って、送風部１０を筒状部２に対して容易に出し入れすることができる。また、収納溝４１は駆動モータ１３（図２参照）の電気配線１５が収納される。
【００５３】
図７は熱交換部２０を筒状部２に挿入した状態を正面から見た要部詳細図である。熱交換部２０の保持部２２には突設部３７、３９に嵌合する溝部２２ａが形成される。保持部２３にも同様に突設部３７、３９に嵌合する溝部２３ａ（不図示）が形成されている。これにより、溝部２２ａ、２３ａが突設部３７、３９に案内されて熱交換部２０が前後にスライド移動可能になっている。従って、熱交換部２０を筒状部２に対して容易に出し入れすることができる。
【００５４】
また、電気配線１５が収納溝４１に収納されるため、熱交換部２０の出し入れする際に熱交換部２０が電気配線１５と接触することによる電気配線の破損を防止することができる。尚、収納溝４１を案内溝４０から離れた位置に設けて、保持部２２、２３に収納溝４１の側壁に嵌合する溝部を設けてもよい。また、案内溝４０及び収納溝４１を筒状部２の内壁に凹設し、溝部２２ａ、２３ａに嵌合して熱交換部２０を案内するレールを筒状部２の内壁に突設してもよい。
【００５５】
図８は熱交換部２０を筒状部２に挿入した状態を示す正面図である。熱交換部２０の前方の保持部２２の前面には熱交換器２１の上下に配されるストッパ２４が設けられている。ストッパ２４が台座３に当接して熱交換部２０の前後方向が位置決めされる。また、ストッパ２４により室内側流出口２１ａから流出する空気は上下の流通方向が規制されている。
【００５６】
上下のストッパ２４間には台座３に取り付けられたイオン発生装置９が配置されている。イオン発生装置９は台座３に取り付けられるため、出し入れされる熱交換部２０や送風部１０から独立して固定される。従って、移動する際の衝突等によるイオン発生装置９の破損を防止することができる。
【００５７】
図１１はイオン発生装置９を示す斜視図である。イオン発生装置９は電極９ａを有している。電極９ａに高圧の交流電圧が印加されると、プラズマ放電により空気中の水素分子が電離して水素イオン（Ｈ+）が生成される。溶媒和エネルギーにより空気中の水分子が水素イオンとクラスタリングして正イオンＨ+(Ｈ2Ｏ)mが形成されている。また、プラズマ放電により空気中の酸素分子または水分子が電離して酸素イオン（Ｏ2-）が生成される。溶媒和エネルギーにより空気中の水分子が酸素イオンとクラスタリングして負イオンＯ2-(Ｈ2Ｏ)nが形成されている。
【００５８】
居住空間に送出された正負イオンは空気中に浮遊している浮遊細菌を取り囲む。正負のイオンは浮遊細菌の表面で式（１）〜（３）に示すように化学反応して活性種である過酸化水素（Ｈ2Ｏ2）または水酸基ラジカル（・ＯＨ）を生成する。ここで、式（１）〜（３）において、ｍ、ｍ’、ｎ、ｎ’は整数である。これにより、活性種の分解作用によって浮遊細菌が破壊して殺菌される。従って、効率的に空気中の浮遊細菌を殺菌除去することができる。
【００５９】
Ｈ+(Ｈ2Ｏ)m＋Ｏ2-(Ｈ2Ｏ)n→・ＯＨ＋1/2Ｏ2＋(m＋n)Ｈ2Ｏ      ・・・（１）
Ｈ+(Ｈ2Ｏ)m＋Ｈ+(Ｈ2Ｏ)m'＋Ｏ2-(Ｈ2Ｏ)n＋Ｏ2-(Ｈ2Ｏ)n'
→ 2・ＯＨ＋Ｏ2＋(m＋m'＋n＋n')Ｈ2Ｏ ・・・（２）
Ｈ+(Ｈ2Ｏ)m＋Ｈ+(Ｈ2Ｏ)m'＋Ｏ2-(Ｈ2Ｏ)n＋Ｏ2-(Ｈ2Ｏ)n'
→ Ｈ2Ｏ2＋Ｏ2＋(m＋m'＋n＋n')Ｈ2Ｏ ・・・（３）
【００６０】
従って、室内側流出口２１ａから流出する空気中にプラスイオンとマイナスイオンを発生して室内に送出することによって浮遊菌の殺菌を行うことができる。また、電極の印加電圧を制御して室内にマイナスイオンを送出するとリラクゼーション効果を得ることができる。このため、イオン発生装置９はプラスイオンとマイナスイオンを発生するモードと、マイナスイオンを発生するモードとを有し、ユーザにより選択できるようになっている。
【００６１】
室内側流出口２１ａから流出する空気はストッパー２４により上下の流通方向が規制され、イオン発生装置９の方向に導かれる。これにより、室内に送出される空気に効率よくイオンを含ませることができる。尚、室内側流入口２１ｂに流入する空気についてはストッパー２４による上下の流通方向を規制せずに広く室内から空気を取り入れられるようにしてもよい。
【００６２】
図８において、ストッパ２４には、取っ手２５が回動可能に取り付けられている。前述の図１に示すように前方に突出するように取っ手２５を回動して把持し、取っ手２５を室内側に引くことにより熱交換部２０を筒状部２から簡単に取り出すことができるようになっている。
【００６３】
また、熱交換器２１の室内側流出口２１ａ及び室内側流入口２１ｂは筒状部２から突出し、室内側流出口２１ａが左方に向かって開口して室内側流入口２１ｂが右方に向かって開口する。即ち、室内側流出口２１ａ及び室内側流入口２１ｂが互いに相反する外方向に向かって開口している。
【００６４】
室内側流出口２１ａ及び室内側流入口２１ｂを筒状部２内に配置すると、筒状部２の壁面が気流を遮るため圧力損失が大きくなる。このため、室内側流出口２１ａ及び室内側流入口２１ｂを筒状部２から突出させることにより、圧力損失の増大を防止して送風効率を向上することができる。また、室内側流出口２１ａ及び室内側流入口２１ｂが互いに相反する外方向に向かって開口することで、吸気と排気のショートサーキットを低減することができる。
【００６５】
図９（ａ）、（ｂ）はカバー４の正面図及び側面図を示している。カバー４の正面から視た中央には遮蔽部４ｃが設けられ、左右の端部に流出口４ａ及び流入口４ｂが設けられる。流出口４ａ及び流入口４ｂはカバー４の側面まで延びて形成されている。これにより、室内側流出口２１ａから流出する空気が、流出口４ａから小さい圧力損失で室内に送出される。同様に、室内から流入口４ｂに流入する空気が、小さい圧力損失で室内側流入口２１ｂに流入する。
【００６６】
また、遮蔽部４ｃにより吸気と排気のショートサーキットを低減することができる。遮蔽部４ｃの幅を熱交換器２１の幅の１／２以上にするとショートサーキットを殆ど防止することができる。尚、カバー４の背面側に室内側流出口２１ａと室内側流入口２１ｂとを仕切る隔壁を突設するとより望ましい。また、熱交換器２１の先端がカバー４の背面に緩衝材等を介して当接するように配置してもよい。
【００６７】
図１２は室外カバー５の正面断面図である。室外カバー５は背面が塞がれており、下方に開口する吸気口５ａ及び排気口５ｂが左右に分かれて形成されている。これにより、雨の侵入を防止することができる。また、吸気口５ａと排気口５ｂとの間には遮蔽部５ｄが形成され、吸気と排気のショートサーキットを低減することができる。
【００６８】
上記構成の熱交換形換気扇１において、運転を開始すると駆動モータ１３により第１、第２シロッコファン１１、１２が駆動される。第１シロッコファン１１の駆動により室外の空気が吸気口５ａから吸気路６に取り込まれる。吸気路６を流通する空気は第１シロッコファン１１の軸方向から吸い込まれて周方向に排気され、室外側流入口２１ｃから熱交換器２１に流入して空気通路３５を流通する。
【００６９】
また、第２シロッコファン１２の駆動により室内の空気がカバー４の流入口４ｂを介して室内側流入口２１ｂから熱交換器２１に流入して空気通路３６を流通する。熱交換器２１では空気通路３５、３６を流通する空気が熱及び湿度を全熱交換する。空気通路３５を流通する熱交換後の空気は室内側流出口２１ａから流出し、イオン発生装置９により発生したイオンを含んでカバー４の流出口４ａを介して室内に送出される。
【００７０】
空気通路３６を流通する熱交換後の空気は室外側流出口２１ｄから流出して排気路７に流入する。排気路７を流通する空気は第２シロッコファン１２の軸方向から吸い込まれて周方向に排気され、排気口５ｂから室外に排気される。これにより、室内から熱及び湿度を排出することなく室内を換気することができる。同時に、イオン発生装置９がプラスイオンとマイナスイオンを発生するモードに設定されていると室内の浮遊菌の殺菌を行うことができる。また、イオン発生装置９がマイナスイオンを発生するモードに設定されているとリラクゼーション効果を得ることができる。
【００７１】
本実施形態によると、送風部１０及び熱交換部２０を筒状部２に対して室内側から出し入れできるので、熱交換部２０の熱交換器２１やフィルターの清掃、送風部１０の第１、第２シロッコファン１１、１２の清掃、駆動モータ１３の修理等のメンテナンスを容易に行うことができる。
【００７２】
次に、図３は第２実施形態の熱交換形換気扇を示す側面断面図である。説明の便宜上、前述の図１〜図１２に示す第１実施形態と同一の部分は同一の符号を付している。本実施形態は第１、第２シロッコファン１１、１２は独立した駆動モータ１３ａ、１３ｂにより駆動され、回転軸が筒状部２の軸方向に対して傾斜して配置される。その他の部分は第１実施形態と同一である。
【００７３】
第１シロッコファン１１は回転軸が傾斜して吸込側が室外側に向かって配される。これにより、室外から吸気路６に取り込まれて第１シロッコファン１１に吸引される空気の圧力損失を低減することができる。また、第２シロッコファン１２は回転軸が傾斜して吸込側が室内側に向かって配される。これにより、室内から排気路７に取り込まれて第２シロッコファン１２に吸引される空気の圧力損失を低減することができる。従って、第１、第２シロッコファン１１、１２の送風効率を向上することができる。
【００７４】
更に、第１、第２シロッコファン１１、１２がそれぞれ独立した駆動モータ１３ａ、１３ｂにより駆動されるので、第１、第２シロッコファン１１、１２を傾斜しても側面から視て同じ位置に配置することができる。これにより、筒状部２の軸方向の長さを長くすることなく第１、第２シロッコファン１１、１２を傾斜することができる。
【００７５】
また、室内から排気される空気に対して室内に送出される空気量を多くして室内を正圧に維持し、壁や天井からの有機成分の流出を防止することができる。加えて、第１、第２シロッコファン１１、１２を互いに距離を離して自由に配置することができ、熱交換部２０とのオーバーラップ量を大きくして筒状部２の長さをより短くすることができる。
【００７６】
尚、第１、第２実施形態において、筒状部２の断面を円形にしているが断面多角形でもよい。例えば、断面矩形の筒状部の対角線上に仕切板１４を配置すると吸気路６及び排気路７の断面積を大きくとることができる。また、吸気路６と排気路７を左右に並設しているが、吸気路６と排気路７を上下に並設してもよい。
【産業上の利用可能性】
【００７７】
本発明の熱交換形換気扇は、室内空気浄化のために換気を必要とする高気密の住宅やビル等の建築物や、シックハウスを防止するために常時換気を必要とする建築物に用いることができる。
【図面の簡単な説明】
【００７８】
【図１】本発明の第１実施形態の熱交換形換気扇を示す側面断面図
【図２】本発明の第１実施形態の熱交換形換気扇を示す上面断面図
【図３】本発明の第１実施形態の熱交換形換気扇の第１通風体を示す平面図
【図４】本発明の第１実施形態の熱交換形換気扇の第２通風体を示す平面図
【図５】図３のＤ矢視図
【図６】本発明の第１実施形態の熱交換形換気扇の送風部の装着状態を示す正面から視た詳細図
【図７】本発明の第１実施形態の熱交換形換気扇の熱交換部の装着状態を示す正面から視た詳細図
【図８】本発明の第１実施形態の熱交換形換気扇の熱交換部の装着状態を示す正面図
【図９】本発明の第１実施形態の熱交換形換気扇のカバーを示す正面図
【図１０】本発明の第１実施形態の熱交換形換気扇の筒状部を示す背面図
【図１１】本発明の第１実施形態の熱交換形換気扇のイオン発生装置を示す斜視図
【図１２】本発明の第１実施形態の熱交換形換気扇の室外カバーを示す正面断面図
【図１３】本発明の第２実施形態の熱交換形換気扇を示す上面断面図
【符号の説明】
【００７９】
１    熱交換形換気扇
２    筒状部
３    台座
４    カバー
５    室外カバー
６    吸気路
７    排気路
９    イオン発生装置
１０    送風部
１１    第１シロッコファン
１２    第２シロッコファン
１３、１３ａ、１３ｂ  駆動モータ
１４    仕切板
１５    電気配線
２０    熱交換部
２１    熱交換器
２１ａ  室内側流出口
２１ｂ  室内側流入口
２１ｃ  室外側流出口
２１ｄ  室外側流入口
２２、２３  保持部
２２ａ  溝部
２４    ストッパ
２５    取っ手
３１    第１通風体
３２    第２通風体
３７〜３９  突設部
４０    案内溝
４１    収納溝
【図１】
2005282927.tif 000003
【図２】
2005282927.tif 000004
【図３】
2005282927.tif 000005
【図４】
2005282927.tif 000006
【図５】
2005282927.tif 000007
【図６】
2005282927.tif 000008
【図７】
2005282927.tif 000009
【図８】
2005282927.tif 000010
【図９】
2005282927.tif 000011
【図１０】
2005282927.tif 000012
【図１１】
2005282927.tif 000013
【図１２】
2005282927.tif 000014
【図１３】
2005282927.tif 000015